(57)【要約】【課題】ハードディスクに均等な圧力をかけて歪を与えず、かつ耐侯性に優れる止め具、ハブ及びそれらを用いたハードディスク取付構造を提供する。【解決手段】ハードディスク装置のハードディスク４を取り付ける止め具３であって、リングの一部を切断した形状を有し、かつその内周に傾斜したすべり部３ａを備えることを特徴とする止め具。ハードディスク装置のハードディスク４を取り付ける取付部２ｂを有するハブ２であって、前記取付部２ａの外周に円錐台状の笠部２ａを備えることを特徴とするハブ。スピンドル１に前記ハブ２を備え、さらに前記止め具３を備え、前記止め具３が、ハードディスク４を前記ハブ２に固定してなることを特徴とするハードディスク取付構造。【選択図】        図１
2004335046.tif 000002
【特許請求の範囲】
【請求項１】
ハードディスク装置のハードディスクを取り付ける止め具であって、
リングの一部を切断した形状を有し、かつその内周に傾斜したすべり部を備えることを特徴とする止め具。
【請求項２】
前記止め具は、材質が金属であることを特徴とする請求項１記載の止め具。
【請求項３】
前記止め具は、Ｅ字リング形状であることを特徴とする請求項１記載の止め具。
【請求項４】
前記止め具は、ラウンドリングの一部を切断した形状またはオーバルリングの一部を切断した形状であることを特徴とする請求項１記載の止め具。
【請求項５】
ハードディスク装置のハードディスクを取り付ける取付部を有するハブであって、前記取付部の外周に円錐台状の笠部を備えることを特徴とするハブ。
【請求項６】
スピンドルに請求項５記載のハブを備え、さらに請求項１ないし４のいずれか記載の止め具を備え、前記止め具が、ハードディスクを前記ハブに固定してなることを特徴とするハードディスク取付構造。
【請求項７】
スピンドルにハブを備え、前記ハブにハードディスクを取り付け、止め具で固定するハードディスク取付構造であって、
前記ハブは、ハードディスクを取り付ける取付部に円錐台状の笠部を備え、
前記止め具は、リングの一部を切断した形状を有し、かつその内周に傾斜したすべり部を備え、
前記ハブに、前記止め具を、前記笠部と前記すべり部とが接触するように嵌合させることで、前記止め具のリングの一部を切断した形状により働く内周方向へのバネ力の一部を、前記笠部と前記すべり部とが傾斜してすべることでスラスト方向に逸らし、この力によりハードディスクを押え付けて固定することを特徴とするハードディスク取付構造。
【発明の詳細な説明】
【０００１】
【発明の属する技術分野】
この発明は、ハードディスク装置におけるハードディスクの取り付け等に用いられる止め具、ハブ及びそれらを用いたハードディスク取付構造に関するものである。
【０００２】
【従来の技術】
従来、ハードディスクの固定は、ネジ止めがされていた（例えば、特許文献１参照。）。
【０００３】
図６を用いて、従来例を説明する。
【０００４】
１０１はスピンドル、１０２は軸受け、１０５は磁気ディスク、１０７はネジ、１２３はハブ本体、１２４はリング状スペーサ、１２６は固定円盤、１２７はバネ座金である。
【０００５】
図６に示すように、磁気ディスク１０５とスペーサ１２４とを積み重ね、ネジ止めによって全体を固定させること等が行われていた。
【０００６】
また、ゴム製のＯリングで止めるもの等も提案されていた。
【０００７】
【特許文献１】
特開２００２−３１３００２号公報
【０００８】
【発明が解決しようとする課題】
しかしながら、ハードディスクをハブに取付固定する場合、ハードディスクに一定以上の歪を与えないこと、耐久性が高いことが要求される。
【０００９】
ネジ止めの場合、ハードディスクに均等な圧力をかけて固定することが難しいため、歪を与える可能性があるという問題点があった。
【００１０】
また、ゴム製Ｏリングの場合、取付時にＯリングがねじれ、そのねじれが開放されるとき、Ｏリングがわずかにハードディスクを動かし不規則な回転変動の原因になるという問題点、また耐侯性が低く、一定の時期に切れてしまうという問題点があった。
【００１１】
本発明は、以上のような問題点に鑑みて為されたものであり、その目的とする処は、ハードディスクに均等な圧力をかけて歪を与えず、かつ耐侯性に優れる止め具、ハブ及びそれらを用いたハードディスク取付構造を提供することにある。
【００１２】
【課題を解決するための手段】
本発明は、下記の技術的構成により前記目的を達成できたものである。
【００１３】
（１）ハードディスク装置のハードディスクを取り付ける止め具であって、リングの一部を切断した形状を有し、かつその内周に傾斜したすべり部を備えることを特徴とする止め具。
【００１４】
（２）前記止め具は、材質が金属であることを特徴とする前記（１）項記載の止め具。
【００１５】
（３）前記止め具は、Ｅ字リング形状であることを特徴とする前記（１）項記載の止め具。
【００１６】
（４）前記止め具は、ラウンドリングの一部を切断した形状またはオーバルリングの一部を切断した形状であることを特徴とする前記（１）項記載の止め具。
【００１７】
（５）ハードディスク装置のハードディスクを取り付ける取付部を有するハブであって、前記取付部の外周に円錐台状の笠部を備えることを特徴とするハブ。
【００１８】
（６）スピンドルに前記（５）項記載のハブを備え、さらに前記（１）項ないし（４）項のいずれか記載の止め具を備え、前記止め具が、ハードディスクを前記ハブに固定してなることを特徴とするハードディスク取付構造。
【００１９】
（７）スピンドルにハブを備え、前記ハブにハードディスクを取り付け、止め具で固定するハードディスク取付構造であって、前記ハブは、ハードディスクを取り付ける取付部に円錐台状の笠部を備え、前記止め具は、リングの一部を切断した形状を有し、かつその内周に傾斜したすべり部を備え、前記ハブに、前記止め具を、前記笠部と前記すべり部とが接触するように嵌合させることで、前記止め具のリングの一部を切断した形状により働く内周方向へのバネ力の一部を、前記笠部と前記すべり部とが傾斜してすべることでスラスト方向に逸らし、この力によりハードディスクを押え付けて固定することを特徴とするハードディスク取付構造。
【００２０】
【発明の実施の形態】
以下、この発明の実施の形態について、図面を用いて説明する。
【００２１】
（実施例）
図１〜図３を用いて、実施例を説明する。
【００２２】
図１は、ハードディスク取付構造を説明する側面断面図、図２は、止め具とハブとの接触する部分周辺の拡大断面図であって、止め具とハードディスクのみを断面に示した図、図３（ａ）は、止め具の平面図、図３（ｂ）は、図３（ａ）に示すＡ−Ａ線断面図である。
【００２３】
図１において、１は中心軸（以下、スピンドルという。）、２は、ハードディスク４を取り付ける取付部２ｂを有するハブであって、取付部２ｂの外周に円錐台状の笠部２ａを備えている。また、ハブ２は、ステータ部６に対するローター部を構成する。２ａは、円錐台状の笠部、２ｂは取付部、３は、リングの一部を切断した形状を有し、かつその内周に傾斜したすべり部３ａを備える止め具、３ａはすべり部、４はハードディスク、５は筐体、６はステータ部である。
【００２４】
スピンドル１に備えられたハブ２は、その取付部２ｂをハードディスク４の中央孔に挿通させている。そして、止め具３がハードディスク４をスラスト方向（本実施例では筐体５の方向）に押え付けてハブ２に固定し、スピンドル１とハブ２と止め具３とハードディスク４とは一体として回転可能になる。
【００２５】
すなわち、スピンドル１に設けたハブ２にハードディスク４を取り付け、止め具３で固定するハードディスク取付構造になっている。
【００２６】
この構造で、ステータ部６と、ローター部であるハブ２とによって、ハードディスク４をスピンドル１とハブ２と止め具３と共に高速回転させ、ハードディスク装置として用いることができる。なお、ハードディスク４を回転させる方法については、ハードディスク４をローター部に直接取り付ける構造に限定されるものではなく、ローター部とハブとを個別に備えたり、図示していないモータ等によりスピンドル１を回転させたり、種種の方法を用いることができる。
【００２７】
次に、上述の構成について、製造方法を説明し乍ら、さらに構成を説明する。
【００２８】
まず、スピンドル１の外周にハードディスク４を取り付けるためのハブ２を設ける。ハブ２は、ハードディスク４の中央孔の大きさに合わせた取付部２ｂを備えており、さらにその取付部２ｂは、逆さにした円錐台状の笠部２ａを備えている。
【００２９】
次に、ハードディスク４の中央孔をハブ２の取付部２ｂに合わせるようにして、ハードディスク４をハブ２に載せる。このときハブ２の取付部２ｂが中央孔に挿通される。
【００３０】
そして、スピンドル１のラジアル方向から、リングを一部切断した形状の止め具３をハブ２の取付部２ｂに嵌合させる。このとき、止め具３の「リングを切断した部分」をハブ２の取付部２ｂに押し付け、輪を一度拡かせるようにして嵌合させる。
【００３１】
なお、ハブ２の形状、止め具３の形状によっては、スラスト方向から止め具３を嵌合させてもよい。
【００３２】
このとき、図２に示すように、止め具３のすべり部３ａがハブ２の笠部２ａと接触するようにする。
【００３３】
止め具３は、図３（ａ）、図３（ｂ）に示すように、リングを一部切断した形状をしており、Ｏリング状にはなっていない。また、止め具３の内周をハブ２の取付部２ｂよりわずかに狭くなるようにしておく。これによって、ハブ２に取り付けられたとき、止め具３の材質自体の弾性により内周方向に向かってバネ力が発生することになる。
【００３４】
従って、この止め具３をハブ２に装着すれば、特にネジ止め等することなく止め具３自身をハブ２に固定することができる。
【００３５】
さらに、このとき、ハブ２に円錐台状の笠部２ａを備えると共に、止め具３に傾斜したすべり部３ａを備えることで、止め具３の内周方向に向かっていたバネ力をスラスト方向（本実施例では筐体５の方向）へ逸らし、この逸らした力によって、ハードディスク４を固定することができる。
【００３６】
すなわち、止め具３の輪を締めようとするバネ力を、笠部２ａでスラスト方向へ逸らし、かつ止め具３自身にも傾斜したすべり部３ａを備えることで、止め具３がハブ２の笠部２ａですべり、スラスト方向（本実施例では筐体５の方向）へ移動しようとする力が働いて、止め具３がハードディスク４をハブ２に押し付けて固定することができる。
【００３７】
このとき、ハードディスク４への圧力は、止め具３自身のバネ力によることから、ネジ止めの場合と比べて遥かに均等に近く、かつ止め具３に金属等の材料を用いることができるので、耐侯性を高めることもでき、優れたハードディスク取付構造を実現できる。
【００３８】
さらに、ネジ止めをせず、止め具のみでハードディスクの固定が可能なので、取り付け、取り外し、部品の取扱い等が容易になる効果もある。
【００３９】
（他の実施例）
次に、図４及び図５を用いて、他の実施例について説明する。
【００４０】
止め具３は、すでに説明したようにリングの一部を切断した形状であれば、さらに他の形状を備えていてもよい。
【００４１】
図４（ａ）、図４（ｂ）、図４（ｃ）は、他の形状の止め具を説明する平面図、図４（ｄ）は、図４（ｃ）に示すＢ−Ｂ線断面図である。
【００４２】
３１、３２、３３は、他の形状の止め具、３１ａ、３２ａ、３３ａは、他の形状の止め具のすべり部である。
【００４３】
図４（ａ）に示すように、止め具３１は、Ｅ字リング形状とし、リングのソデ部分をかぎ形状とすることにより、ハブ２から外れにくい構成とすることができる。
【００４４】
また、図には示していないが、リングのソデ部分の内周を切り欠き、ソデ部分にツメを有する形状とすることもできる。
【００４５】
また、図４（ｂ）に示すように、止め具３２は、リングのソデ部分に孔を有する突起部を設けることにより、孔に留め金等を通して固定することで、さらにハブ２から外れにくい構成とすることができる。
【００４６】
また、図４（ｃ）、図４（ｄ）に示すように、止め具３３は、リングの断面形状が円となるラウンドリングの一部を切断した形状としている。
【００４７】
断面形状の円の弧によってすべり部３３ａが形成され、内周方向へのバネ力をスラスト方向へ逸らすことができる。
【００４８】
さらに、図には示していないが、断面形状が楕円となるオーバルリングの一部を切断した形状としてもよい。
【００４９】
また、以上の形状を組み合わせて用いることもできる。
【００５０】
図５に、止め具３３を用いてハードディスク４を固定した例を示す。
【００５１】
図５は、他の形状の止め具３３とハブ２との接触する部分周辺の拡大断面図であって、止め具とハードディスクのみを断面に示した図である。
【００５２】
図に示すように、断面形状の円の弧によってすべり部３３ａが形成され、バネ力をスラスト方向へ逸らしてハードディスク４を固定することができる。
【００５３】
なお、以上の実施例では、ハードディスク４が１枚の場合について説明したが、本発明はこれのみに限定されるものではなく、ハードディスク４を複数枚重ねる場合にも、ハードディスクとハードディスクの間にスペーサを介することで本発明を適用することができる。また、止め具３をスペーサとして用いることもできる。
【００５４】
【発明の効果】
以上説明したように、本発明によれば、ハードディスクに均等な圧力をかけて歪を与えず、かつ耐侯性に優れる止め具、ハブ及びそれらを用いたハードディスク取付構造を提供することができる。
【００５５】
さらに、ネジ止めをせず、ハードディスクの固定が可能なので、取り付け、取り外し、部品の取扱い等が容易になる効果もある。
【図面の簡単な説明】
【図１】ハードディスク取付構造を説明する断面図である。
【図２】止め具とハブとの接触する部分周辺の拡大断面図である。
【図３】（ａ）は、止め具の平面図、（ｂ）は、（ａ）に示すＡ−Ａ線断面図である。
【図４】（ａ）、（ｂ）、（ｃ）は、他の形状の止め具を説明する平面図、（ｄ）は、（ｃ）に示すＢ−Ｂ線断面図である。
【図５】他の形状の止め具とハブとの接触する部分周辺の拡大断面図である。
【図６】従来例の図である。
【符号の説明】
１  中心軸（スピンドル）
２  ハブ
２ａ  笠部
２ｂ  取付部
３  止め具
３ａ  すべり部
４  ハードディスク
５  筐体
６  ステータ部
【図１】
2004335046.tif 000003
【図２】
2004335046.tif 000004
【図３】
2004335046.tif 000005
【図４】
2004335046.tif 000006
【図５】
2004335046.tif 000007
【図６】
2004335046.tif 000008